(57)【要約】      （修正有）【課題】  床板体を部分的に交換することができるようにした起床式ベッド装置を提供する。【解決手段】  ベッドフレーム６と、第１のユニットと第２のユニットとに分割され、第１のユニットは第１の固定床部及びこの第１の固定床部に回動可能に連結された背上げ床部２４を有し、第２のユニットは第２の固定床部及びこの第２の固定床部の上記ベッドフレームの幅方向に沿う一端部と他端部とにそれぞれ一端が回動可能に連結された左右一対の脚上げ床部２６、２８を有し、上記第１の固定床部と第２の固定床部とが上記ベッドフレームの長手方向中央部分に着脱可能に取り付けられる床板体２１と、上記床板体の下面側に設けられ上記背上げ床部を起上方向に駆動するとともに、上記一対の脚上げ床部のどちらか一方を選択的に、若しくは一対の脚上げ床部を同時に上昇方向に駆動する床部駆動機構とを具備する。【選択図】      図１
2005034406.tif 000002
【特許請求の範囲】
【請求項１】
ベッドフレームと、
第１のユニットと第２のユニットとに分割され、第１のユニットは第１の固定床部及びこの第１の固定床部に回動可能に連結された背上げ床部を有し、第２のユニットは第２の固定床部及びこの第２の固定床部の上記ベッドフレームの幅方向に沿う一端部と他端部とにそれぞれ一端が回動可能に連結された左右一対の脚上げ床部を有し、上記第１の固定床部と第２の固定床部とが上記ベッドフレームの長手方向中央部分に着脱可能に取り付けられる床板体と、
上記床板体の下面側に設けられ上記背上げ床部を起上方向に駆動するとともに、上記一対の脚上げ床部のどちらか一方を選択的に、若しくは一対の脚上げ床部を同時に上昇方向に駆動する駆動手段と、
を具備したことを特徴とする起床式ベッド装置。
【請求項２】
上記背上げ床部は、背中央部及びこの背中央部の幅方向両側に回動可能に連結された一対の背側部を有し、上記第１の固定床部に上記背中央部が回動可能に連結されていて、
上記背上げ床部の下面側には、上記駆動手段によって背上げ床部を起上方向に駆動するときに、一対の背側部の一方若しくは両方を上記背中央部に対して所定の角度で傾斜させる背上げ機構が設けられていることを特徴とする請求項１記載の起床式ベッド装置。
【請求項３】
上記背上げ機構は、
起伏駆動される背上げアームと、
この背上げアームに設けられ上記背上げ床部の背中央部を起伏駆動する背上げロ−ラと、
上記背上げアームに設けられ起上時に上記背上げ床部の一対の背側部の一方若しくは両方を選択的に上記背中央部に対して所定の角度で傾斜させる押上げローラと、
を備えていることを特徴とする請求項２記載の起床式ベッド装置。
【請求項４】
上記背側部の下面には、上記背上げアームが起上することで、上記押上げローラが転接して上記背側部を上記背中央部に対して所定の角度で傾斜させる突条部が設けられていることを特徴とする請求項３記載の起床式ベッド装置。
【請求項５】
ベッドフレームと、
このベッドフレームの長手方向中央部分に着脱可能に取り付けられる固定床部と、
背中央部及びこの背中央部の両側にそれぞれ回動可能に連結された一対の背側部を有し、上記背中央部が上記固定床部の一端に回動可能に取り付けられる背上げ床部と、
上記固定床部の他端の上記ベッドフレームの幅方向に沿う一端部と他端部とにそれぞれ一端が回動可能に連結された左右一対の第１の脚上げ床部及び各第１の脚上げ床部の他端に一端が回動可能に連結された一対の第２の脚上げ床部と、
上記ベッドフレームの下面側に設けられ上記背上げ床部を起上方向へ駆動するとともに、上記一対の第１、第２の脚上げ床部のどちらか一方若しくは一対の第１、第２の脚上げ床部を同時に上昇方向に駆動する駆動手段と、
を具備したことを特徴とする起床式ベッド装置。
【発明の詳細な説明】
【技術分野】
【０００１】
この発明は仰臥した利用者の上半身を起こしたり、脚部を持ち上げることができる病人用として好適する起床式ベッド装置に関する。
【背景技術】
【０００２】
病人用のベッド装置においては、体力が低下した患者が食事をする場合などに上半身を起こすのを支援するために、いわゆる起床式ベッド装置が用いられる。起床式ベッド装置は、ベッドフレームの上面に設けられる床板体を、上記ベッドフレームの長手方向に対して複数の床部に分割し、そのうちの利用者の上半身に対応する部分の床部である、背上げ床部を駆動機構によって起伏駆動できる構成になっている。
【０００３】
利用者が背上げ床部によって上半身を起こす際、臀部が前方にずれ易いということがある。そこで、背上げ時には、背上げ床部だけでなく、利用者の脚部に対応位置する脚上げ床部も上記駆動機構によって同時に起上させるということが行なわれている。それによって、背上げ時に利用者の臀部が前方にずれ動くのを防止することができるようになっている。
【０００４】
起床式ベッド装置には、上記脚上げ床部を上記背上げ床部の動きに対して選択的に連動させることができるようにしたものがある。つまり、脚上げ床部を必要に応じて背上げ床部の動きに連動させたり、或いは背上げ床部の動きに係りなく、単独で起伏させることができるようにした構成がある。
【０００５】
最近、脚上げ床部を選択的に起伏させる構成の起床式ベッド装置を、特定の患者に利用するということが考えられている。たとえば、脚部を骨折などで傷めた患者などのように、仰臥状態において、脚部を持ち上げて保持した方がよい場合に利用するということなどが検討されている。
【発明の開示】
【発明が解決しようとする課題】
【０００６】
しかしながら、従来の起床式ベッド装置は、背上げ床部の起伏に対し、選択的に起伏させることができる脚上げ床部を備えていても、脚上げ床部はベッドフレームの幅方向全長にわたる幅寸法に形成されていた。したがって、患者の両脚部を同時に上昇させて保持することはできても、傷めた片方の脚部だけを上昇させて保持するということができなかった。
【０００７】
そのため、たとえば片方の脚部を傷めた患者の場合、片方の脚部だけを上昇させて保持すればよいのに、両方の脚部を上昇させて保持するようになるため、利用者の腰部に掛かる負担が大きくなったり、使い勝手が悪いということがあるばかりか、利用目的などによっては患者に苦痛を与えることも考えられる。
【０００８】
一方、背上げ床部を起上して利用者の上半身を起こした場合、利用者の健康状態が比較的良好であれば、左右方向（側方）に倒れることなく、上半身を起こした姿勢を維持することができる。しかしながら、長期の療養などによって利用者の健康状態が衰えてくると、背上げ床部を起上させて上半身を起こしても、その状態を自力で維持することが困難となり、左右方向に倒れてしまうということがある。したがって、利用者の健康状態によっては、背上げ時に側方へ倒れるのを防止することができる構成の起床式ベッド装置が必要となることもある。
【０００９】
一方、一般的にベッド装置のベッドフレームは分解可能な構成となっており、工場からの出荷時には分解して梱包するため、比較的小さくなり、取り扱いが容易である。しかしながら、床板体はベッドフレームの平面形状とほぼ同じ大きさに形成されているために梱包した大きさがかなり大きくなる。そのため、運搬や保管などの際の取り扱いに不便であるということがあった。
【００１０】
この発明は、利用者の片方の脚部或いは両方の脚部のいずれであっても、選択的に上昇させた状態で保持することができ、しかも上半身を起こしたときに必要に応じて利用者が側方へ倒れるのを防止できるとともに、運搬や保管などの際に床板体を小さくして取り扱うことができるようにした起床式ベッド装置を提供することにある。
【課題を解決するための手段】
【００１１】
この発明は、
ベッドフレームと、
第１のユニットと第２のユニットとに分割され、第１のユニットは第１の固定床部及びこの第１の固定床部に回動可能に連結された背上げ床部を有し、第２のユニットは第２の固定床部及びこの第２の固定床部の上記ベッドフレームの幅方向に沿う一端部と他端部とにそれぞれ一端が回動可能に連結された左右一対の脚上げ床部を有し、上記第１の固定床部と第２の固定床部とが上記ベッドフレームの長手方向中央部分に着脱可能に取り付けられる床板体と、
上記床板体の下面側に設けられ上記背上げ床部を起上方向に駆動するとともに、上記一対の脚上げ床部のどちらか一方を選択的に、若しくは一対の脚上げ床部を同時に上昇方向に駆動する駆動手段と、
を具備したことを特徴とする起床式ベッド装置にある。
【００１２】
上記背上げ床部は、背中央部及びこの背中央部の幅方向両側に回動可能に連結された一対の背側部を有し、上記第１の固定床部に上記背中央部が回動可能に連結されていて、
上記背上げ床部の下面側には、上記駆動手段によって背上げ床部を起上方向に駆動するときに、一対の背側部の一方若しくは両方を上記背中央部に対して所定の角度で傾斜させる背上げ機構が設けられていることが好ましい。
【００１３】
上記背上げ機構は、
起伏駆動される背上げアームと、
この背上げアームに設けられ上記背上げ床部の背中央部を起伏駆動する背上げロ−ラと、
上記背上げアームに設けられ起上時に上記背上げ床部の一対の背側部の一方若しくは両方を選択的に上記背中央部に対して所定の角度で傾斜させる押上げローラと、
を備えていることが好ましい。
【００１４】
上記背側部の下面には、上記背上げアームが起上することで、上記押上げローラが転接して上記背側部を上記背中央部に対して所定の角度で傾斜させる突条部が設けられていることが好ましい。
【００１５】
この発明は、ベッドフレームと、
このベッドフレームの長手方向中央部分に着脱可能に取り付けられる固定床部と、
背中央部及びこの背中央部の両側にそれぞれ回動可能に連結された一対の背側部を有し、上記背中央部が上記固定床部の一端に回動可能に取り付けられる背上げ床部と、
上記固定床部の他端の上記ベッドフレームの幅方向に沿う一端部と他端部とにそれぞれ一端が回動可能に連結された左右一対の第１の脚上げ床部及び各第１の脚上げ床部の他端に一端が回動可能に連結された一対の第２の脚上げ床部と、
上記ベッドフレームの下面側に設けられ上記背上げ床部を起上方向へ駆動するとともに、上記一対の第１、第２の脚上げ床部のどちらか一方若しくは一対の第１、第２の脚上げ床部を同時に上昇方向に駆動する駆動手段と、
を具備したことを特徴とする起床式ベッド装置にある。
【発明の効果】
【００１６】
この発明によれば、利用者は一対の脚上げ床部の一方或いは両方を選択的に上昇させることで、一方或いは両方の脚部を選択的に上昇させることができるばかりか、床板体が第１のユニットと第２のユニットとに分割されてベッドフレームに着脱可能に取り付けられているため、第１の背上げ床部を有する第１のユニットを利用者の健康状態などに応じて背上げ時に利用者が側方へ倒れるのを防止することができるものに交換することができる。しかも、床板体が２つのユニットに分割されているため、運搬や梱包などの際の取り扱いを容易に行うことが可能となる。
【発明を実施するための最良の形態】
【００１７】
以下、図面を参照しながらこの発明の一実施の形態を説明する。
【００１８】
図１と図２はこの発明の一実施の形態に係る起床式ベッド装置の斜視図であって、この起床式ベッド装置は四隅部に設けられたキャスタ２によって移動可能に構成されたベースフレーム１を備えている。このベースフレーム１の四隅部には連結部材３が設けられ、各連結部材３の上端部にはそれぞれ上下駆動アーム４の一端が枢着されている。
【００１９】
図４に示すように、ベースフレーム１の長手方向一端部に位置する一対の上下駆動アーム４の中途部は第１の連結軸５ａによって連結され、他端部に位置する一対の上下駆動アーム４の他端部は第２の連結軸５ｂによって連結されている。各一対の上下駆動アーム４の他端はそれぞれベッドフレーム６の長手方向の一端部と他端部との幅方向両側内面に垂設された連結片７（図３（ａ），図３（ｂ）に示す）に枢着されている。
【００２０】
なお、矩形枠状の上記ベースフレーム１とベッドフレーム６とは、それぞれ分解可能な構成となっている。各フレーム１，６は一対の杆状の側部材と端部材とで構成されているが、ベースフレーム１よりも大きなベッドフレーム６は、長尺な側部材が長手方向中途部で２つに分解可能となっている。したがって、各フレーム１，６は分解時には小さく梱包することが可能となっている。
【００２１】
第２の連結軸５ｂには上下駆動装置１１が枢着されている。この上下駆動装置１１は駆動源１２及びこの駆動源１２によって軸方向に進退駆動される駆動軸１３を有する。上記第１の連結軸５ａと第２の連結軸５ｂとの軸方向中途部には、それぞれ連動杆１４の一端部と他端部とがそれぞれブラケット１５を介して枢着されている。上記駆動軸１３の先端は上記連動杆１４の中途部に枢着されている。
【００２２】
したがって、上記上下駆動装置１１の駆動源１２が作動して駆動軸１３が軸方向に駆動されると、この動きに上記連動杆１４が連動する。それによって、第１、第２の連結軸５ａ，５ｂを介して上下駆動アーム４が連結部材３に枢着された一端を支点として他端が上昇する方向に回動するから、上下駆動アーム４の他端に枢着されたベッドフレーム６が上昇方向に駆動されることになる。
【００２３】
上記ベッドフレーム６には床板体２１が設けられる。この床板体２１は図５に示すように第１のユニット２１ａと第２のユニット２１ｂからなる。各ユニットは複数の床部に分割されている。すなわち、第１のユニット２１ａは上記ベッドフレーム６の長手方向中央部に、このベッドフレーム６に固定して設けられる第１の固定床部２２ａを有する。この第１の固定床部２２ａの一端には、腰上げ床部２３と背上げ床部２４とが順次回動可能に連結されている。
【００２４】
上記第２のユニット２１ｂは上記ベッドフレーム６の長手方向中央部で、上記第１の固定床部２２ａの他端に接近して固定された第２の固定床部２２ｂを有する。この第２の固定床部２２ｂの幅方向一端部には第１の左側脚上げ床部２５と第２の左側脚上げ床部２６とが順次回動可能に連結されている。上記第２の固定床部２２ｂの幅方向他端部には第１の右側脚上げ床部２７と第２の右側脚上げ床部２８とが順次回動可能に連結されている。
【００２５】
図５に示すように上記背上げ床部２４は、中央部分２４ａと、この背中央部２４ａの幅方向両側に上方向に回動可能に連結された一対の背側部２４ｂとから構成されている。上記背中央部２４ａと背側部２４ｂとは、たとえばブロー成形によって一体成形されている。
【００２６】
上記背中央部２４ａと背側部２４ｂと一体成形するときに、背中央部２４ａと一対の背側部２４ｂとの厚さ方向上面側の端部が薄肉部２４ｃによって連結される。それによって、一対の背側部２４ｂは、背中央部２４ａに対して上方にだけ回動可能に連結されている。
【００２７】
上記床板体２１の第１、第２の固定床部２２ａ，２２ｂを除く他の床部は床部駆動機構３１によって起伏駆動されるようになっている。この床部駆動機構３１は、図４に示すように本体部３２を有する。この本体部３２はベッドフレーム６の長手方向に沿って細長い箱形状をなしていて、この本体部３２の一側面には第１の駆動源３３が設けられ、他側面には第２の駆動源３４が設けられている。
【００２８】
上記本体部３２には、長手方向一端部に第１の駆動軸３５が設けられ、他端部に第２の駆動軸３６が設けられている。第１、第２の駆動軸３５は、本体部３２の長手方向に対して直交して設けられている。これら駆動軸３５、３６の両端部は、それぞれ上記ベッドフレーム６の幅方向両側内面に設けられた支持部３７に、図７に示す軸受３７ａを介して回転可能に支持されている。上記第１の駆動源３３が作動すると、上記第１の駆動軸３５が回転駆動され、上記第２の駆動源３４が作動すると、上記第２の駆動軸３６が回転駆動されるようになっている。
【００２９】
図４に示すように、上記第１の駆動軸３５の両端部にはそれぞれ一対の背上げアーム６１が基端部を固着して設けられている。一対の背上げアーム６１の自由端部には、内面にそれぞれ一対の背上げローラ６３が所定間隔で回転可能に設けられ、外面にそれぞれ一対の押上げローラ６４が折り曲げ軸６５によって回転可能に設けられている。
【００３０】
上記折り曲げ軸６５は、図１５乃至図１７に示すように上記背上げアーム６１に折り曲げ可能に取付けられている。つまり、上記背上げアーム６１には取付けピン６６が幅方向に貫通して固着されている。背上げアーム６１の外側面に突出した取付けピン６６の頭部６７の外周面にはおねじ６８が形成されている。さらに、頭部６７には一対の取付け片６９（一方のみ図示）が形成され、これら取付け片６９の間に上記折り曲げ軸６５の基端部に形成された扁平部６５ａが挿入され、ピン７１によって枢着されている。
【００３１】
上記折り曲げ軸６５の中途部にはカラー７２がスライド可能に外嵌され、先端部には上記カラー７２よりも大径な上記押し上げローラ６４が回転可能に設けられている。上記カラー７２の基端部の内周面にはめねじ７３が形成されている。
【００３２】
上記カラー７２を図１７に示すように折り曲げ軸６５側にスライドさせたときには、この折り曲げ軸６５はピン７１を支点として取付けピン６６に対して折り曲げ可能となっている。図１６に示すようにカラー７２を取付けピン６６側にスライドさせ、その基端部のめねじ７３を取付けピン６６のおねじ６８に螺合させれば、このカラー７２によって上記折り曲げ軸６５がピン７１を支点として回動不能、つまり折り曲げ不能に保持されるようになっている。
【００３３】
図１３に示すように、背上げ床部２４の一対の背側部２４ｂの下面には、背上げ床部２４を成形する際に、背上げ床部２４の回動の基端側となる一端部と、回動の先端側となる他端部とに、それぞれ一対の突条部８８が床板体２１の長手方向に沿って一体成形されている。
【００３４】
上記突条部８８は、背上げ床部２４の先端に向かって次第に高くなる傾斜部８８ａと、この傾斜部８８ａに続いて全長にわたりほぼ同じ高さをなした平坦部８８ｂとが形成されている。  
上記背上げアーム６１が倒伏した状態において、この背上げアーム６１の外側面に設けられた一対の押し上げローラ６４は図１４（ａ）に実線で示すように、上記突条部８８の傾斜部８８ａの下端部に接触しており、背上げアーム６１が起立方向に回動すると、傾斜部８８ａを押圧しながら平坦部８８ｂへ移行する。
【００３５】
上記突条部８８は背上げ床部２４の背側部２４ｂと合成樹脂によって一体成形したが、帯状の板材を山形状に屈曲して背側部２４ｂの下面に取付け固定してもよい。
【００３６】
上記背上げ床部２４の背中央部２４ａの下面の幅方向両側には、断面コ字状のガイドレール９１が長手方向に沿って設けられている。このガイドレール９１には上記背上げアーム６１の内側面に設けられた上記一対の背上げローラ６３が転動可能に係合している。
【００３７】
上記背上げアーム６１の内側面と外側面とに設けられた背上げローラ６３と押し上げローラ６４との軸芯は、図１４（ｂ）に示すようにほぼ同じ高さに設定されている。それによって、背上げ床部２４がほぼ水平に倒伏した状態においては、その背中央部２４ａと一対の背側部２４ｂとはほぼ水平となっている。
【００３８】
このような構成によれば、床部駆動機構３１の第１の駆動源３３によって第１の駆動軸３５を回転駆動し、背上げ床部２４を起立方向に回動させると、背上げアーム６１に設けられた押し上げローラ６４が背上げ床部２４の一対の背側部２４ｂの突条部８８の傾斜部８８ａに転接し、この傾斜部８８ａから平坦部８８ｂへと移動する。
【００３９】
上記傾斜部８８ａは側部８４ｂの下面に対して次第に高く傾斜している。そのため、背上げアーム６１が回動するにつれて、押し上げローラ６４が上記背側部２４ｂを押し上げることになるから、一対の背側部２４ｂは背中央部２４ａとの連結部分を支点として床板体２１の上面側へ屈曲する。
【００４０】
上記背側部２４ｂを屈曲させれば、上記床板体２１上に載置される後述するマットレス１０１も屈曲する背側部２４ｂによって材弾性的に屈曲する。  
したがって、マットレス１０１上に仰臥した利用者は、背上げ時や背上げ後に、上半身の両側が屈曲した背側部２４ｂによって保持されるから、自力で身体を保持することができないような状態であっても、側方へ倒れるのが防止される。
【００４１】
背上げ時に、上記背上げ床部２４の背側部２４ｂを押し上げる押し上げローラ６４は、上記背上げアーム６１に折り曲げ可能に設けられた折り曲げ軸６５に設けられている。  
そのため、折り曲げ軸６５を折り曲げれば、背上げ時に背上げ床部２４の背側部２４ｂを上方へ屈曲させずに上昇させることができる。したがって、利用者は背上げ床部２４の背側部２４ｂを屈曲させるか、させないかを選択することができる。
【００４２】
なお、介護者が利用者を支持しながら背上げを行なうような場合などには、介護者が利用者を支持しやすいように、一対の背上げアーム６１のうちの、介護者側の一方の背上げアーム６１に設けられた押し上げローラ６４だけが突条部８８に当たらないよう、折り曲げ軸６５とともに折り曲げて使用することも可能である。図１４（ｃ）は一対の背側部２４ｂを屈曲させた状態を示し、図１４（ｄ）は一方の背側部２４ｂだけを屈曲させた状態を示している。
【００４３】
このように、背上げアーム６１に背上げローラ６３と押し上げローラ６４とを設けるとともに、背上げ床部２４の背側部２４ｂの下面に傾斜部８８ａと平坦部８８ｂとを有する突条部８８を設けた。
【００４４】
そして、背上げ時に上記背上げアーム７５を上昇方向に回動させたときに、背上げローラ６３が背上げ床部２４の背中央部２４ａを押し上げるだけでなく、押し上げローラ６４によって上記突条部８８を介して背側部２４ｂを屈曲させるようにした。
【００４５】
そのため、背上げアーム６１によって背上げ床部２４の背上げと、背側部２４ｂの屈曲とを同時に行なうことができる。しかも、背側部２４ｂを屈曲させるための専用のリンク機構を必要としないから、少ない部品点数で、簡単な構成とすることができる。
【００４６】
利用者の健康状態が良好で、上記背上げ床部２４を起上して利用者の上半身を起こしたときに、利用者は側方へ倒れることなく、自力によって身体を保持することができる。利用者が上半身を起こしたときに、自力によって身体を保持することができる状態であれば、床板体２１の第１のユニット２１ａの背上げ床部２４を図５に示すように背中央部２４ａ及びこの背中央部２４ａの幅方向両側に回動可能に連結された一対の背側部２４ｂとを有する構成とせずに、図１９に示すような構成の背上げ床部２４０を有する第１のユニット２１０ａとすればよい。
【００４７】
図１９に示す床板体２１の第１のユニット２１０ａは、背上げ床部２４０が１枚の板状部材によって形成されている。つまり、上半身を起こしたときに、利用者が自力によって上半身を支えることができる状態のときには、図１９に示す構成の第１のユニット２１０ａを利用する。
【００４８】
利用者の体力が低下し、背上げ時に利用者が自力によって上半身を起こした状態を維持することができず、側方へ倒れるようなことがある場合には、背上げ床部２４０が１枚板の構成の上記第１のユニット２１０ａをベッドフレーム６から取外し、背上げ床部２４が背中央部２４ａ及びこの背中央部２４ａの両側に回動可能に連結された一対の背側部２４ｂからなる第１のユニット２１ａに交換する。それによって、利用者の体力が低下し、自力で背上げ状態の姿勢を維持できなくなった場合には、起上時に前方へ屈曲する背側部２４５ｂによって利用者の上半身を保持することが可能となる。
【００４９】
図４及び図８（ａ）〜図８（ｃ）に示すように、上記第２の駆動軸３６の軸方向両端部には、それぞれ筒状体４２が回転可能に装着されている。各筒状体４２の外周面には、この筒状体４２を第２の駆動軸３６の軸方向に沿ってスライドさせるための操作レバー４１が径方向に沿って設けられている。さらに、上記外周面には、操作レバー４１に対して周方向に所定角度ずれた位置に脚上げアーム４３の基端部が固着されている。この脚上げアーム４３の自由端部には脚上げローラ４４が回転可能に設けられている。
【００５０】
一方の脚上げアーム４３に設けられた脚上げローラ４４は、第１の左側脚上げ床部２５の下面に設けられたガイドレール４５に当接しており、他方の脚上げアーム４３に設けられた脚上げローラ４４は、図９（ａ）乃至図９（ｃ）に示すように第１の右側脚上げ床部２７の下面に設けられたガイドレール４５に当接している。
【００５１】
なお、一対の脚上げアーム４３は、図８（ａ）に示すほぼ水平な状態で、それよりも下方へ回動しないようベッドフレーム６に設けられた図示しない保持部材に係合している。
【００５２】
上記第２の駆動軸３６には、各筒状体４２の近傍に連動部材４６の基端部が固着して設けられている。連動部材４６は、図８（ａ）に示すように、ほぼ水平に保持された脚上げアーム４３よりも所定角度下方に位置する角度で取付けられている。この連動部材４６の自由端部の側面には、係合部としての係合軸４７が脚上げアーム４３に向かって突設されている。
【００５３】
上記脚上げアーム４３の基端部には、脚上げアーム４３を連動部材４６に接近する方向にスライドさせたときに、上記係合軸４７に係合する係合凹部４８が形成されている。
【００５４】
図８（ａ）に示すように、脚上げアーム４３が連動部材４６から離れた状態で第２の駆動軸３６を回転駆動しても、連動部材４６が上昇方向に回動するだけで、脚上げアーム４３は回動せず、水平状態に保持されたままである。
【００５５】
図８（ｂ）に示すように、脚上げアーム４３をスライドさせてその係合凹部４８を係合軸４７に係合させた状態で第２の駆動軸３６を回転駆動すると、図８（ｃ）に示すように連動部材４６の上昇方向への回動に上記脚上げアーム４３が連動する。それによって、第１の左側及び右側脚上げ床部２５，２７を上昇方向に駆動することができるようになっている。
【００５６】
図７に示すように、上記第２の駆動軸３６の両端部には樹脂製のスリーブ４９（一方のみ図示）が装着され、このスリーブ４９に上記脚上げアーム４３の基端部が固着された筒状体４２がスライド可能に外嵌されている。上記スリーブ４９には外周面に突出するとともに径方向内方へ弾性的に変位可能な受け部４９ａが設けられている。上記スリーブ４２には上記受け部４９ａに弾性的に係脱する第１、第２の凸部４２ａ，４２ｂが設けられている。
【００５７】
上記筒状体４２をスリーブ４９に沿ってスライドさせると、上記受け部４９ａに対して上記第１、第２の凸部４２ａ，４２ｂが弾性的に係脱する。それによって、図７や図８（ｂ）に示すように上記脚上げアーム４３の係合凹部４８が上記連動部材４６の係合軸４７に係合した位置と、図８（ａ）に示すように上記係合凹部４８と係合軸４７との係合が外れた位置とで上記筒状体４２が上記スリーブ４９に対して自由にスライドしない状態に弾性的に保持されるようになっている。
【００５８】
図７に示すように、上記スリーブ４９の軸方向一端部の外周面には着色シール５０が設けられている。この着色シール５０は、脚上げアーム４３に設けられた係合凹部４８が連動部材４６の係合軸４７に係合しているときには露出し、上記係合凹部４８が係合軸４７から外れているときには筒状体４２によって覆い隠されるようになっている。したがって、着色シール５０が露出しているか否かによって脚上げアーム４３のスライド位置を判別できるようになっている。
【００５９】
上記第１の左側及び右側脚上げ床部２５，２７が上昇方向に回動すると、これらの回動に第２の左側及び右側脚上げ床部２６，２８が連動する。第２の左側及び右側脚上げ床部２６，２８は、それぞれ保持機構５１によって上記第１の左側及び右側脚上げ床部２５，２７に対して所定の角度で保持できるようになっている。
【００６０】
上記保持機構５１は、図６に示すようにベッドフレーム６の幅方向両端部に、長手方向に沿って配設された一対の保持部材５２を有する。この保持部材５２は板材を断面形状がほぼＵ字状となるよう曲成した部材からなり、その両側壁の長手方向一端部には第１の保持溝５３と第２の保持溝５４が形成され、他端部には第３の保持溝５５が形成されている。
【００６１】
図９（ａ）〜図９（ｃ）に示すように、一端を上記第１の左側及び右側脚上げ床部２５，２７に枢着した第２の左側及び右側脚上げ床部２６，２８の他端部下面には支持杆５６の一端が枢着されている。この支持杆５６の他端には上記各保持溝５３〜５５に着脱可能に係合する係合部材としての支持軸５７が設けられている。
【００６２】
図１０（ａ），図１０（ｂ）に示すように、上記第１の保持溝５３はコ字状の鉤部５３ａ及びこの鉤部５３ａに一端を連続させて第２の保持溝５４に向かって高く傾斜した傾斜面５３ｂとによって形成され、この傾斜面５３ｂの他端が保持部材５２の上端面に連続している。
【００６３】
第２の保持溝５４は、第１の保持溝５３と同様、鉤部５４ａと傾斜面５４ｂとによって形成され、第３の保持溝５５は鉤部５５ａによって形成されている。
【００６４】
図９（ａ）に示すように、上記支持軸５７を保持部材５２の第１の保持溝５３に係合させた状態で第１の左側及び右側脚上げ床部２５，２７を起上方向に駆動すると、これら第１の左側及び右側脚上げ床部２５，２７に連動する第２の左側及び右側脚上げ床部２６，２８は第１の左側及び右側脚上げ床部２５，２７に連結された一端に対して他端が下方に位置する角度で上昇する。
【００６５】
図９（ｂ）に示すように、上記支持軸５７を第２の保持溝５４に係合させた状態で第１の左側及び右側脚上げ床部２５，２７を起上方向に駆動すると、各第１の左側及び右側脚上げ床部２５，２７に連動する第２の左側及び右側脚上げ床部２６，２８は第１の左側及び右側脚上げ床部２５，２７に連結された一端に対して他端がほぼ同じ高さになる角度で上昇する。つまり、第１の左側及び右側脚上げ床部２６，２８はほぼ水平に保持される。
【００６６】
図９（ｃ）に示すように、第２の左側及び右側脚上げ床部２６，２８を第１の左側及び右側脚上げ床部２５，２７に連結された一端よりも他端が高くなる角度で上昇させるには、支持杆５６の支持軸５７を第１或いは第２の保持溝５３，５４のいずれかに係合させた状態で第１の左側及び右側脚上げ床部２５，２７を起上方向に駆動し、第２の左側及び右側脚上げ床部２６，２８を図９（ａ）或いは図９（ｂ）に示す状態まで上昇させる。ついで、支持軸５７を第１或いは第２の保持溝５３，５４から外し、第３の保持溝５５に係合させれば、第２の左側及び右側脚上げ床部２６，２８を第１の左側及び右側脚上げ床部２５，２７に連結された一端よりも他端が高くなる角度で上昇させることができる。
【００６７】
第２の左側及び右側脚上げ床部２６，２８を水平に倒伏させるには、支持軸５７を第３の保持溝５５から外し、第１或いは第２の保持溝５３，５４に係合させてから、第１の左側及び右側脚上げ床部２５，２７を倒伏方向に駆動すればよい。
【００６８】
このように、支持軸５７を第１乃至第３の保持溝５３〜５５のいずれかに係合させることで、第１の左側及び右側脚上げ床部２５，２７に対して第２の左側及び右側脚上げ床部２８がなす角度を変えることができるようになっている。
【００６９】
なお、図９（ａ）の状態で第１、第２の左側及び右側脚上げ床部２５〜２８を図１０（ａ）に示すようにほぼ水平に倒伏させると、支持軸５７が第１の保持溝５３の鉤部５３ａから外れて傾斜面５３ｂに沿ってその上端まで上昇する。
【００７０】
支持軸５７が傾斜面５３ｂの上端まで上昇した状態で、第２の左側及び右側脚上げ床部２８を上昇方向に駆動すると、上記支持軸５７が傾斜面５３ｂに沿って下降し、第１の保持溝５３の鉤部５３ａに係合する。したがって、第２の左側及び右側脚上げ床部２８を図９（ａ）に示す角度で保持することができる。
【００７１】
つまり、図１０（ａ）に示すように、第１、第２の左側及び右側脚上げ床部２５〜２８がほぼ水平に倒伏した状態では、支持杆５６の枢着端から支持軸５７までの距離Ｌ１  は、枢着端から鉤部５３ａまでの距離Ｌ２  よりも短い。
【００７２】
そのため、支持軸５７は、第１、第２の左側及び右側脚上げ床部２５〜２８の起伏をほぼ水平に倒伏させると、支持軸５７は傾斜面５３ｂを乗り上げるが、上昇方向に駆動すれば、上記傾斜面５３ｂに沿って下降して鉤部５３ａに係合するから、Ｌ１  ＜Ｌ２  であっても、第２の左側及び右側脚上げ床部２８を自動的に所定の角度で保持することができる。
【００７３】
図９（ｂ）のように支持軸５７を第２の係合溝５４に係合させた状態においては、図１０（ｂ）に示すように、支持杆５６の枢着端から支持軸５７までの距離はＬ１  と、枢着端から第２の係合溝５４の鉤部５４ａまでの距離がほぼ等しくなる。そのため、支持軸５７が第２の係合溝５４の鉤部５４ａに係合した状態で、第２の左側及び右側脚上げ床部２８が駆動されることになる。
【００７４】
上記床板体２１の上面には図１１（ａ）と図１１（ｂ）に示すマットレス１０１が載置される。このマットレス１０１は、たとえばウレタンフォーム（図示せず）などの弾性材料を袋状の外装地１０２で被覆して構成されており、長手方向一端部の第１の左側及び右側脚上げ床部２５，２７及び第２の左側及び右側脚上げ床部２６，２８に対応する部分は、切断線１０３により左右一対の第１の部分１０４ａと、第２の部分１０４ｂとに分割されている。
【００７５】
図１２はマットレス６１の変形例であって、このマットレス１０１は外装地１０２が伸縮性を有する布地によって形成されている。したがって、マットレスの一端部に形成される左右一対の第１、第２の部分１０４ａ，１０４ｂは外装地１０２内に収容されたウレタンフォームだけが分断され、外装地１０２は分断されていない。
【００７６】
そして、左側或いは右側の第１及び第２の脚上げ床部２５〜２８によって一対の第１、第２の部分１０４ａ，１０４ｂのどちらか一方が上昇方向に持ち上げられたときには、外装地１０２が伸張するようになっている。
【００７７】
つぎに、上記構成の起床式ベッド装置を利用する場合について説明する。
【００７８】
床部駆動機構３１の第１の駆動源３３を作動させて第１の駆動軸３５を回転駆動させると、図３（ａ）に鎖線で示すように背上げアーム６１が起上方向に駆動される。それによって、床板体２１の背上げ床部２４が起上方向に上昇し、この背上げ床部２４とともに腰上げ床部２３も連動して起上することになる。したがって、床板体２１のマットレス１０１上に仰臥した利用者は上半身が起こされることになる。
【００７９】
背上げ床部２４は背中央部２４ａと、この背中央部２４ａの両側に上方への回動可能に連結された一対の背側部２４ｂとから構成されている。一対の背側部２４ｂの下面にはそれぞれ突条部８８が設けられ、背上げア−ム６１には上記突条部８８に当接する押上げローラ６４が設けられている。
【００８０】
それによって、背上げアーム６１を起上方向に駆動すると、押上げローラ６４が突条部８８の傾斜部８８ａに圧接し、この傾斜部８８ａから平坦部８８ｂへと移行する。
【００８１】
押上げローラ６４が突条部８８の平坦部８８ｂに圧接すると、一対の背側部２４ｂが傾斜する。そのため、マットレス１０１上に仰臥した利用者の上半身は傾斜した一対の背側部２４ｂによって保持されるから、利用者が上半身を起こした姿勢を自力で保持する体力がない場合であっても、側方へ倒れるのを阻止することが可能となる。背上げ床部２４は、一対の背側部２４ｂのうちの一方だけを、背上げ床部２４の起上に応じて選択的に傾斜させることができる。
【００８２】
床板体２１の第１、第２のユニット２１ａ、２１ｂはベッドフレーム６に着脱可能に設けられている。床板体２１は、図５に示すように背上げ床部２４が背中央部２４ａ及びこの背中央部２４ａの両側に回動可能に連結された一対の背側部２４ｂの３つの部分によって構成された第１のユニット２１ａと、図１９に示すように背上げ床部２４が１枚の板材によって構成された第１のユニット２１０ａがあり、これらユニット２１ａ，２１０ａを利用者の健康状態、つまり背上げ時に上半身を自力によって保持できるか否かに応じて選択して使用することができる。
【００８３】
床板体２１が第１のユニット２１ａと第２のユニット２１ｂとに分割されていることで、起床式ベッド装置を工場から出荷する際や保管しておく場合などには、床板体２１を各ユニット２１ａ，２１ｂごとに梱包することが可能となる。そのため、床板体２１の梱包時に大きさや重量を約半分にすることができるから、床板体２１の取り扱いを容易に行うことが可能となる。なお、ベースフレーム１及びベッドフレーム６も、床板体２１と同様、小さく分解して梱包することができる。
【００８４】
一方、床板体２１の第１の左側及び右側脚上げ床部２５，２７は、床部駆動機構３１の第２の駆動源３４を作動させて第２の駆動軸３６を回転駆動させることで、どちらか一方を選択的に、或いは両方を起上させることができる。
【００８５】
第１の左側脚上げ床部２５或いは右側脚上げ床部２７のどちらか一方を起上させる場合には、起上させる第１の左側或いは右側脚上げ床部側に位置する一方の脚上げアーム４３を図８（ａ）に示す状態から同図（ｂ）に示すように連動部材４６に接近する方向にスライドさせ、その係合凹部４８を連動部材４６に設けられた係合軸４７に係合させる。
【００８６】
その状態で第２の駆動源３４を作動させて第２の駆動軸３６を回転させれば、その回転に連動部材４６を介して脚上げアーム３が連動するから、この脚上げアーム３が起上方向に回動する。それによって、一方の脚上げ床部、たとえば第１の左側脚上げ床部２５が脚上げローラ４４によって起上方向に駆動されるから、この第１の左側脚上げ床部２５に連結された第２の左側脚上げ床部２６が連動し、保持機構５１により第１の左側脚上げ床部２５に対して所定の角度で保持される。
【００８７】
第１の左側脚上げ床部２５に代わり、第１の右側脚上げ床部２７だけを第２の駆動軸３６の回転によって起上方向に駆動することもできる。つまり、その場合には、第１の右側脚上げ床部２７を起上させるための第２の脚上げアーム４３を第２の駆動軸３６に沿ってスライドさせ、その係合凹部４８を連動部材４６の係合軸４７に係合させる。
【００８８】
上記第１の左側脚上げ床部２５を起上させるための第２の脚上げアーム４３は、その係合凹部４８が連動部材４６の係合軸４７から外れる位置にスライドさせる。その状態で第２の駆動軸３６を第２の駆動源３４によって回転駆動すれば、第１の右側脚上げ床部２７だけが脚上げアーム４３によって起上方向に駆動されることになる。
【００８９】
このように、第１の左側脚上げ床部２５と第１の右側脚上げ床部２７のどちらか一方だけを選択的に起上方向に駆動させることができるばかりか、これら第１の左側及び右側脚上げ床部２５，２７の両方を同時に起上方向に駆動することもできる。その場合、第１の左側脚上げ床部２５と第１の右側脚上げ床部２７とを起上方向に駆動する一対の脚上げアーム４３を、これらの係合凹部４８がそれぞれ連動部材４６の係合軸４７に係合するようスライドさせる。それによって、第２の駆動軸３６の回転に一対の脚上げアーム４３が連動するから、第１の左側及び右側脚上げ床部２５，２７を一緒に起伏駆動させることができる。
【００９０】
この実施の形態では、上記床部駆動機構３１、上記脚上げアーム４３及び上記連動部材４６によって左側の脚上げ床部２５，２６或いは右側の脚上げ床部２７，２８を選択的或いは同時に起伏駆動するための駆動手段を構成している。
【００９１】
上記第１の左側及び右側脚上げ床部２５，２７を起上方向に駆動すると、これら脚上げ床部２５，２７の起上方向の動きに第２の左側及び右側脚上げ床部２６，２８が連動する。第２の左側及び右側脚上げ床部２６，２８は保持機構５１によって所定の角度で保持することができる。
【００９２】
つまり、第２の左側及び右側脚上げ床部２６，２８の自由端に一端が枢着された支持杆５６の他端に設けられた支持軸５７を、保持部材５２に形成された第１乃至第３の保持溝５３〜５５のいずれに係合させるかによって、上記第２の左側及び右側脚上げ床部２６，２８の上記第１の左側及び右側脚上げ床部２５，２７に対する保持角度を変えることができる。
【００９３】
すなわち、図９（ａ）に示すように支持軸５７を第１の保持溝５３に係合させれば、第２の左側及び右側脚上げ床部２６，２８を第１の左側及び右側脚上げ床部２５，２７に連結された一端よりも自由端である他端が低くなる状態で保持することができ、支持軸５７を第２の保持溝５４に係合させれば、図９（ｂ）に示すように第２の左側及び右側脚上げ床部２６，２８をほぼ水平に保持することができる。
【００９４】
さらに、支持軸５７を第３の保持溝５５に係合させれば、図９ｃに示すように第２の左側及び右側脚上げ床部２６，２８を他端が一端よりも高くなる状態で保持することができる。  
すなわち、上記構成の起床式ベッド装置によれば、利用者の脚部を持ち上げるための脚床部を、利用者の左右の脚部に対応して第１、第２の左側脚上げ床部２５，２６と、第１、第２の右側脚上げ床部２７，２８とに分割し、左右のどちらか一方の脚上げ床部を選択的に起上させたり、両方を同時に起上させることができるようにした。
【００９５】
そのため、利用者は、片方の脚部だけを持ち上げた状態で仰臥したり、両方の脚部を持ち上げた状態で仰臥することができる。  
しかも、利用者の脚部の膝から下の部分を保持する第２の左側及び右側脚上げ床部２６，２８は、上記第１の左側及び右側脚上げ床部２５，２７に対する角度を保持機構５１によって段階的に変えて保持することができる。
【００９６】
そのため、利用者は片方の脚部或いは両方の脚部を選択的に持ち上げて保持することができるだけでなく、そのときに脚部の曲げ角度を変えることもできるから、利用者の脚部を最適な状態、たとえば利用者に与える負担が最も少ない状態や病状に最も適した状態などで保持することが可能となる。
【００９７】
床板体２１の上面に載置されるマットレス１０１は、第１、第２の左側脚上げ床部２５，２６及び右側脚上げ床部２７，２８に対応して幅方向中央部から切断線１０３によって第１の部分１０４ａと第２の部分１０４ｂとに分割した。
【００９８】
そのため、第１、第２の左側脚上げ床部２５，２６或いは第１、第２の右側脚上げ床部２７，２８のどちらか一方だけを起上方向に駆動した場合であっても、上記マットレス１０１は図１１（ｂ）や図１２に示すように起上された左右の脚上げ床部に対応する幅方向の一方の部分だけを円滑に変形させることができるから、そのことによっても、利用者の左右一方の脚部だけを確実かつ円滑に上昇させた状態で保持することが可能となる。
【００９９】
この発明は上述した実施の形態だけに限定されず、種々変形可能である。たとえば、第２の駆動源によって回転駆動される第２の駆動軸に一対の脚上げアームと連動部材とを設け、左側或いは右側の脚上げ床部を起伏駆動する構成としたが、一対の脚上げアームと連動部材とをそれぞれ別々の駆動軸に取付け、各駆動軸を別々の駆動源によって回転駆動することで、左側或いは右側の脚上げ床部を起伏駆動するようにしても差し支えない。
【０１００】
また、左右の脚上げ床部を固定床部に枢着された第１の脚上げ床部及びこの第１の脚上げ床部に枢着された第２の脚上げ床部とによって構成したが、第１の脚上げ床部だけであっても差し支えない。
【０１０１】
また、背上げと脚上げとを同時若しくは選択的に行なうためのベッド装置においては、床板体を第１のユニットと第２のユニットとに分割しなくても差し支えない。つまり固定床部を第１の固定床部と第２の固定床部とに分割せず、１つの固定床部としてもよい。
【図面の簡単な説明】
【０１０２】
【図１】はこの発明の一実施の形態に係る起床式ベッド装置の斜視図。
【図２】は床板体上のマットレスを除去したベッド装置の斜視図。
【図３】（ａ）は床板体を除いた起床式ベッド装置の側面図，（ｂ）は床板体を含む起床式ベッド装置の側面図。
【図４】は床板体を除いた起床式ベッド装置の平面図。
【図５】は床板体を示す起床式ベッド装置の平面図。
【図６】はベッドフレームの保持機構が設けられた一端部の斜視図。
【図７】は第２の駆動軸の一端部分の断面図。
【図８】（ａ）〜（ｃ）は脚上げアームと連動部材とを示す斜視図。
【図９】（ａ）〜（ｃ）は第２の脚上げ床部を異なる角度で保持した状態を示す説明図。
【図１０】（ａ）は支持軸を第１の保持溝に係合させて第２の脚上げ床部を倒伏させた状態の説明図（ｂ）は支持軸を第２の保持溝に係合させて第２の脚上げ床部を倒伏させた状態の説明図。
【図１１】（ａ）はマットレスの平面図、（ｂ）はマットレスの分断された一方の部分が脚上げ床部の起上に応じて変形した状態を示す斜視図。
【図１２】はマットレスの変形例を示す斜視図。
【図１３】は背上げ床部の背上げ状態を示す斜視図。
【図１４】（ａ）〜（ｄ）は背上げ床部の背上げ状態を説明するための図。
【図１５】は押上げローラが設けられた折り曲げ軸の斜視図。
【図１６】は折り曲げ軸を折り曲げ不能に保持した状態の一部断面した平面図。
【図１７】は折り曲げ軸を折り曲げた状態の一部断面した平面図。
【図１８】は図５とは異なる構成の床板体を示す起床式ベッド装置の平面図。
【符号の説明】
【０１０３】
６…ベッドフレーム、２１…床板体、２１ａ…第１のユニット、２１ｂ…第２のユニット、２２ａ…第１の固定床部、２２ｂ…第２の固定床部、２４…背上げ床部、２５…第１の左側脚上げ床部、２６…第２の左側脚上げ床部、２７…第１の右側脚上げ床部、２８…第２の右側脚上げ床部、３１…床部駆動機構（駆動手段）。
【図１】
2005034406.tif 000003
【図２】
2005034406.tif 000004
【図３】
2005034406.tif 000005
【図４】
2005034406.tif 000006
【図５】
2005034406.tif 000007
【図６】
2005034406.tif 000008
【図７】
2005034406.tif 000009
【図８】
2005034406.tif 000010
【図９】
2005034406.tif 000011
【図１０】
2005034406.tif 000012
【図１１】
2005034406.tif 000013
【図１２】
2005034406.tif 000014
【図１３】
2005034406.tif 000015
【図１４】
2005034406.tif 000016
【図１５】
2005034406.tif 000017
【図１６】
2005034406.tif 000018
【図１７】
2005034406.tif 000019
【図１８】
2005034406.tif 000020